【手続補正書】
【提出日】平成23年3月14日(2011.3.14)
【手続補正１】
【補正対象書類名】明細書
【補正対象項目名】０１２９
【補正方法】変更
【補正の内容】
【０１２９】
本明細書においては、本明細書の主題の実施形態が、一定の特徴または要素を包含し、含有し、有し、これらを含んでなり、またはこれらから構成されるとして記述または説明されている用法の文脈によって、明確にそうでないと記載されていない、または反対に示されていない限りにおいて、明らかに記述または説明されているものに追加する特徴または要素の１つ以上が実施形態において存在していてもよい。本明細書の主題の代替的実施形態は、しかしながら、基本的に、一定の特徴または要素から構成されるとして記述または説明され得、この実施形態においては、作動の原理、または実施形態の特色的な特徴を実質的に変更するであろう特徴または要素はそこには存在しない。本明細書の主題のさらなる代替的実施形態は、一定の特徴または要素から構成されるとして記述または説明され得、この実施形態またはそのわずかな変形においては、特定的に記述または説明された特徴または要素のみが存在する。
この明細書においては、他に明確に記載されていないか、または、使用の文脈により反対に明示されていない限りにおいて、
（ａ）本発明の要素あるいは特徴の存在の記載または説明に関する不定冠詞「ａ」あるいは「ａｎ」の使用は、要素あるいは特徴が存在する数を１に限定せず；ならびに
（ｂ）「含む（ｉｎｃｌｕｄｅ）」、「含む（ｉｎｃｌｕｄｅｓ）」および「含む（ｉｎｃｌｕｄｉｎｇ）」という語は、実際にはそうでなくても、「特に限定されないが」という句が続いているとして読まれ、および解釈されるべきである。
【手続補正２】
【補正対象書類名】明細書
【補正対象項目名】０１３０
【補正方法】変更
【補正の内容】
【０１３０】
以上、本発明を要約すると下記のとおりである。
１．混和物中にポリオールおよび少なくとも１種のイオン液体を含む熱エネルギー伝達組成物を含む熱エネルギー伝達装置。
２．イオン液体が、以下の１１種のカチオン：
【化３】
2010523931.tif 000001
【化４】
2010523931.tif 000002
からなる群から選択されるカチオンを含み、
上式中、Ｒ１、Ｒ２、Ｒ３、Ｒ４、Ｒ５およびＲ６は、独立して：
（ｉ）Ｈ、
（ｉｉ）ハロゲン、
（ｉｉｉ）任意によりＣｌ、Ｂｒ、Ｆ、Ｉ、ＯＨ、ＮＨ２およびＳＨからなる群から選択される少なくとも１つの構成要素で置換される、−ＣＨ３、−Ｃ２Ｈ５、またはＣ３〜Ｃ２５直鎖、分岐または環状アルカンまたはアルケン、
（ｉｖ）Ｃｌ、Ｂｒ、Ｆ、Ｉ、ＯＨ、ＮＨ２およびＳＨからなる群から選択される少なくとも１つの構成要素で任意により置換される、Ｏ、Ｎ、ＳｉおよびＳからなる群から選択される１〜３個のヘテロ原子を含む、−ＣＨ３、−Ｃ２Ｈ５、またはＣ３〜Ｃ２５直鎖、分岐または環状アルカンまたはアルケン、
（ｖ）Ｃ６〜Ｃ２０非置換アリール、または、Ｏ、Ｎ、ＳｉおよびＳからなる群から独立して選択される１〜３個のヘテロ原子を有するＣ３〜Ｃ２５非置換ヘテロアリール、ならびに
（ｖｉ）Ｃ６〜Ｃ２５置換アリール、または、Ｏ、Ｎ、ＳｉおよびＳからなる群から独立して選択される１〜３個のヘテロ原子を有するＣ３〜Ｃ２５置換ヘテロアリールであって、
（１）任意によりＣｌ、Ｂｒ、Ｆ、Ｉ、ＯＨ、ＮＨ２およびＳＨからなる群から選択される少なくとも１つの構成要素で置換される−ＣＨ３、−Ｃ２Ｈ５、またはＣ３〜Ｃ２５直鎖、分岐または環状アルカンまたはアルケン、
（２）ＯＨ、
（３）ＮＨ２、および
（４）ＳＨ
からなる群から独立して選択される１〜３個の置換基を有する前記置換アリールまたは置換ヘテロアリール、
からなる群から選択され；
Ｒ７、Ｒ８、Ｒ９およびＲ１０は、独立して：
（ｖｉｉ）任意によりＣｌ、Ｂｒ、Ｆ、Ｉ、ＯＨ、ＮＨ２およびＳＨからなる群から選択される少なくとも１つの構成要素で置換される、−ＣＨ３、−Ｃ２Ｈ５、またはＣ３〜Ｃ２５直鎖、分岐または環状アルカンまたはアルケン、
（ｖｉｉｉ）Ｃｌ、Ｂｒ、Ｆ、Ｉ、ＯＨ、ＮＨ２およびＳＨからなる群から選択される少なくとも１つの構成要素で任意により置換される、Ｏ、Ｎ、ＳｉおよびＳからなる群から選択される１〜３個のヘテロ原子を含む、−ＣＨ３、−Ｃ２Ｈ５、またはＣ３〜Ｃ２５直鎖、分岐または環状アルカンまたはアルケン、
（ｉｘ）Ｃ６〜Ｃ２５非置換アリール、または、Ｏ、Ｎ、ＳｉおよびＳからなる群から独立して選択される１〜３個のヘテロ原子を有するＣ３〜Ｃ２５非置換ヘテロアリール、および
（ｘ）Ｃ６〜Ｃ２５置換アリール、または、Ｏ、Ｎ、ＳｉおよびＳからなる群から独立して選択される１〜３個のヘテロ原子を有するＣ３〜Ｃ２５置換ヘテロアリールであって、
（１）任意によりＣｌ、Ｂｒ、Ｆ、Ｉ、ＯＨ、ＮＨ２およびＳＨからなる群から選択される少なくとも１つの構成要素で置換される、−ＣＨ３、−Ｃ２Ｈ５、またはＣ３〜Ｃ２５直鎖、分岐または環状アルカンまたはアルケン、
（２）ＯＨ、
（３）ＮＨ２、および
（４）ＳＨ
からなる群から独立して選択される１〜３個の置換基を有する前記置換アリールまたは置換ヘテロアリール、
からなる群から選択され、
上式中、任意により、Ｒ１、Ｒ２、Ｒ３、Ｒ４、Ｒ５、Ｒ６、Ｒ７、Ｒ８、Ｒ９およびＲ１０の少なくとも２つは一緒に環状または二環式アルカニルまたはアルケニル基を形成する、上記１に記載の装置。
３．Ｒ１、Ｒ２、Ｒ３、Ｒ４、Ｒ５、Ｒ６、Ｒ７、Ｒ８、Ｒ９およびＲ１０の少なくとも
１つがＦ−を含む、上記２に記載の装置。
４．イオン性液体が、［ＣＨ３ＣＯ２］−、［ＨＳＯ４］−、［ＣＨ３ＯＳＯ３］−、［Ｃ２Ｈ５ＯＳＯ３］−、［ＡｌＣｌ４］−、［ＣＯ３］２−、［ＨＣＯ３］−、［ＮＯ２］−、［ＮＯ３］−、［ＳＯ４］２−、［ＰＯ４］３−、［ＨＰＯ４］２−、［Ｈ２ＰＯ４］−、［ＨＳＯ３］−、［ＣｕＣｌ２］−、Ｃｌ−、Ｂｒ−、Ｉ−、ＳＣＮ−、および任意のフッ素化アニオンからなる群から選択されるアニオンを含む、上記１に記載の装置。
５．組成物が単一の液相を有する、上記１に記載の装置。
６．ポリオールが１，３−プロパンジオールを含む、上記１に記載の装置。
７．流体が流入・流出する第１のチャンバおよび熱エネルギー伝達組成物が流入・流出する第２のチャンバを含み、各チャンバが１つまたはそれ以上の壁部を有し、前記流体および前記熱エネルギー伝達組成物が一方のチャンバの壁部または両方のチャンバに共通の壁部により分離されており、前記流体および前記熱エネルギー伝達組成物のそれぞれの温度が異なっている、上記１に記載の装置。
８．チャンバの一方が、他方の内部に位置付けられている、上記７に記載の装置。
９．チャンバが相互に隣接している、上記７に記載の装置。
１０．流体の流れる方向が、組成物の流れる方向と平行であるか、反対であるかまたは交差している、上記７に記載の装置。
１１．（ａ）冷媒および吸収剤の混合物を形成する吸収器；（ｂ）前記吸収器から前記混合物を受け、この混合物を加熱して冷媒を蒸気形態で前記吸収剤から分離し、前記冷媒蒸気の圧力を高めるジェネレータ；（ｃ）前記ジェネレータから前記蒸気を受け、この蒸気を加圧下で液体に凝縮させるコンデンサ；（ｄ）前記コンデンサを出た液体冷媒が中を通過し、前記液体の圧力が低減されて液体冷媒および蒸気冷媒の混合物が形成される減圧デバイス；（ｅ）前記減圧デバイス中を通過する液体冷媒および蒸気冷媒の前記混合物を受け、残っている液体を蒸発させて冷媒蒸気を形成するエバポレータ；および（ｆ）前記エバポレータを出る冷媒蒸気を吸収器へ戻す流路；を含み、前記吸収剤がイオン液体を含み、前記冷媒がポリオールを含む、温度調整のための装置。
１２．ポリオールが１，３−プロパンジオールを含む、上記１１に記載の装置。
１３．コンデンサが加熱される対象物、媒体または空間に近接して位置付けられているか、またはエバポレータが冷却される対象物、媒体または空間に近接して位置付けられている、上記１１に記載の装置。
１４．固体対象物、流体または前記流体を含有するチャンバを熱エネルギー伝達組成物と接触させる工程を含み、前記固体対象物または流体が第１の温度を有し、前記熱エネルギー伝達組成物が第２の温度を有し、これら第１の温度および第２の温度が異なっており、前記熱エネルギー伝達組成物がポリオールおよびイオン液体を含む、熱エネルギーを伝達させる方法。
１５．流体がガスを含み、ガスが組成物を通して気泡化される、上記１４に記載の方法。１６．第１の温度が第２の温度より高い、上記１４に記載の方法。
１７．第１の温度が第２の温度より低い、上記１４に記載の方法。
１８．流体の流れおよび組成物の流れを提供する工程を含み、前記流体の流れる方向が、前記組成物の流れる方向と平行であるか、反対であるかまたは交差している、上記１４に記載の方法。
１９．ポリオールが１，３−プロパンジオールを含み、前記１，３−プロパンジオールを発酵により供するステップをさらに含む、上記１４に記載の方法。
２０．混和物中にポリオールおよび少なくとも１種のイオン液体を含む組成物。
【手続補正３】
【補正対象書類名】特許請求の範囲
【補正対象項目名】全文
【補正方法】変更
【補正の内容】
【特許請求の範囲】
【請求項１】
混和物中にポリオールおよび少なくとも１種のイオン液体を含む熱エネルギー伝達組成物を含む熱エネルギー伝達装置。
【請求項２】
（ａ）冷媒および吸収剤の混合物を形成する吸収器；（ｂ）前記吸収器から前記混合物を受け、この混合物を加熱して冷媒を蒸気形態で前記吸収剤から分離し、前記冷媒蒸気の圧力を高めるジェネレータ；（ｃ）前記ジェネレータから前記蒸気を受け、この蒸気を加圧下で液体に凝縮させるコンデンサ；（ｄ）前記コンデンサを出た液体冷媒が中を通過し、前記液体の圧力が低減されて液体冷媒および蒸気冷媒の混合物が形成される減圧デバイス；（ｅ）前記減圧デバイス中を通過する液体冷媒および蒸気冷媒の前記混合物を受け、残っている液体を蒸発させて冷媒蒸気を形成するエバポレータ；および（ｆ）前記エバポレータを出る冷媒蒸気を吸収器へ戻す流路；を含み、前記吸収剤がイオン液体を含み、前記冷媒がポリオールを含む、温度調整のための装置。
【請求項３】
固体対象物、流体または前記流体を含有するチャンバを熱エネルギー伝達組成物と接触させる工程を含み、前記固体対象物または流体が第１の温度を有し、前記熱エネルギー伝達組成物が第２の温度を有し、これら第１の温度および第２の温度が異なっており、前記熱エネルギー伝達組成物がポリオールおよびイオン液体を含む、熱エネルギーを伝達させる方法。
【請求項４】
混和物中にポリオールおよび少なくとも１種のイオン液体を含む組成物。